(57)【要約】      （修正有）【課題】茶葉の本体内での拡散を防ぐと共に、茶葉をお湯に充分に浸透させることができるティーメーカーを提供する。【解決手段】本体と、濾過部材と、蓋部とを有する。本体は、内部に形成される収容空間１１と、該収容空間の上端に形成される開口とを備える。濾過部材は、外周面が該本体の内周面に近接するように、本体の収容空間に位置すると共に、少なくとも１つの貫通孔が形成される。蓋部は、注ぎ口を備えると共に、該本体の開口を密閉するように、着脱可能に該本体に設置され、その内、該濾過部材は、磁気手段によって着脱可能に該蓋部に固定される。【選択図】図２
0003165877.tif 000002
【実用新案登録請求の範囲】
【請求項１】
内部に形成される収容空間と、該収容空間の上端に形成される開口とを備える本体と、
外周面が該本体の内周面に近接するように、該本体の収容空間に位置すると共に、少なくとも１つの貫通孔が形成される濾過部材と、
注ぎ口を備えると共に、該本体の開口を密閉するように、着脱可能に該本体に設置される蓋部とを有し、
その内、該濾過部材は、磁気手段によって着脱可能に該蓋部に固定されることを特徴とするティーメーカー。
【請求項２】
前記濾過部材に第一吸引部材が設置され、前記蓋部に、該第一吸引部材を引き寄せるための第二吸引部材を備える磁気部材が設置されることを特徴とする請求項１に記載のティーメーカー。
【請求項３】
前記蓋部に摺動凹部が凹設され、
前記磁気部材は、該摺動凹部に位置するレール部材と、該レール部材に摺動可能に設置される摺動台とを備え、
前記第二吸引部材は、該摺動台に設置されると共に、前記本体と蓋部との間に位置することを特徴とする請求項２に記載のティーメーカー。
【請求項４】
前記摺動台は、摺動可能に該レール部材の上側に設置されるボタンと、摺動可能に該レール部材の下側に設置される摺動座と、該摺動座とボタンとを結合して連動させるためのピンとを備えると共に、前記第二吸引部材は、該摺動座の底部に嵌入されることを特徴とする請求項３に記載のティーメーカー。
【請求項５】
前記第一吸引部品が磁石であり、
前記第二吸引部品が磁性体であることを特徴とする請求項２乃至４の何れか１項に記載のティーメーカー。
【請求項６】
前記第一吸引部材が磁性体であり、
前記第二吸引部材が磁石であることを特徴とする請求項２乃至４の何れか１項に記載のティーメーカー。
【請求項７】
前記第一吸引部材及び前記第二吸引部材が磁石であることを特徴とする請求項２乃至４の何れか１項に記載のティーメーカー。
【請求項８】
前記濾過部材は、開口が形成されるケースと、該ケースの開口を塞ぐように、着脱可能に該ケースに設置されるカバーとを備えると共に、該カバーに前記第一吸引部材が取り付けられることを特徴とする請求項１乃至７の何れか１項に記載のティーメーカー。
【請求項９】
前記濾過部材がプレートを有することを特徴とする請求項１乃至７の何れか１項に記載のティーメーカー。
【請求項１０】
前記第一吸引部材がプレートに設置されることを特徴とする請求項９に記載のティーメーカー。
【考案の詳細な説明】
【技術分野】
【０００１】
本考案は、特にお茶を入れる道具に関するものである。
【背景技術】
【０００２】
一般にお茶を入れる時は、茶碗に茶葉を入れてお湯を注ぎやや時間をおいてお茶を完成させ、その後、蓋により茶葉の口への侵入を防ぎながらお茶を飲む。
【０００３】
だが、前記のようにお茶を入れると、茶葉がお湯の中で拡散し、茶葉を取り除くことが難しくなることから、茶葉が入ったままお茶を飲むことになるので、注意しなければ茶葉も一緒に飲んでしまうという欠点があった。さらに、茶葉を長い時間お湯に浸していると、お茶が濃くなるに伴って渋みや苦味が出てしまうという問題もあった。
【０００４】
前述の問題を解決するために、その後、ティー・バックが開発された。これによれば、茶葉が入ったティー・バックを茶碗やコップに入れてからお湯を注ぐだけで、茶葉をお湯の中に拡散させずに飲むことができ、また、ティー・バックを茶碗から取り除くのも簡単であることから、お茶を飲む時だけ茶葉をお湯に浸すことができるので、適度な濃さや風味のお茶を楽しむことができる。。
【考案の概要】
【考案が解決しようとする課題】
【０００５】
しかしながら、前記既存のティー・バックを使ってお茶を入れた場合、以下に示すような欠点がある。
１．  茶葉が入ったティー・バックをお湯に入れた時、茶水の拡散を防止できるが、茶葉が充分に広がらないことから、茶葉の成分を短時間でお湯に浸透させることができない。
２．  ティー・バックを簡単に取り除くことはできるが、何度もティー・バックを使用する場合には、該ティー・バックを置くための清潔な容器を別に用意しなければならないので、使用上、非常に不便である。
【課題を解決するための手段】
【０００６】
本考案に係るティーメーカーは、本体と、濾過部材と、蓋部とを有し、該本体は、内部に形成される収容空間と、該収容空間の上端に形成される開口とを備え、該濾過部材は、外周面が該本体の内周面に近接するように、該本体の収容空間に位置すると共に、少なくとも１つの貫通孔が形成され、該蓋部は、注ぎ口を備えると共に、該本体の開口を密閉するように、着脱可能に該本体に設置され、その該蓋部に磁気手段によって着脱可能に該濾過部材が固定される。
【０００７】
前記濾過部材に第一吸引部材が設置されると共に、前記蓋部に、該第一吸引部材を引き寄せるための第二吸引部材を備える磁気部材が設置されることから、該第一吸引部材と該第二吸引部材との磁力によって、該濾過部材を着脱可能に前記蓋部に固定することができる。
【０００８】
前記蓋部に摺動凹部が凹設され、
前記磁気部材は、該摺動凹部に位置するレール部材と、該レール部材に摺動可能に設置される摺動台とを備え、
前記第二吸引部材は、該摺動台に設置されると共に、前記本体と蓋部との間に位置することから、その摺動台を摺動して該第二吸引部材をずらせば、前記濾過部材を解放させることができる。
【０００９】
前記摺動台は、摺動可能に該レール部材の上側に設置されるボタンと、摺動可能に該レール部材の下側に設置される摺動座と、該摺動座とボタンとを結合して連動させるためのピンとを備えると共に、該摺動座の底部に前記第二吸引部材が嵌入される。
【００１０】
尚、前記第一吸引部材が磁石であり、
前記第二吸引部材が磁性体であってもよい。
【００１１】
また、前記第一吸引部材が磁性体であり、
前記第二吸引部材が磁石であってもよい。
【００１２】
また、前記第一吸引部材及び第二吸引部材が磁石であってもよい。
【００１３】
また、前記濾過部材は、開口が形成されるケースと、該ケースの開口を塞ぐように、着脱可能に該ケースに設置されるカバーとを備えると共に、該カバーに前記第一吸引部材が取り付けられることが好ましい。
【００１４】
また、前記濾過部材は、プレートを備えることが好ましい。
【００１５】
また、前記第一吸引部材部品は、該プレートに設置されてもよい。
【考案の効果】
【００１６】
本考案に係るティーメーカーは上記の課題を解決するものであり、茶葉が濾過部材に収容されていることから、本体の中での茶葉の拡散を防ぐと共に、第一吸引部材と第二吸引部材との引き寄せによって、濾過部材を蓋部に固定させ、茶葉と茶水とを簡単に分離させることができるので、優れた利便性や実用性を提供することができる。
【図面の簡単な説明】
【００１７】
【図１】本考案に係るティーメーカーの斜視図である。
【図２】本考案に係るティーメーカーの第一実施例の分解斜視図である。
【図３】本考案に係るティーメーカーの第一実施例の断面図である。
【図４】本考案に係るティーメーカーの第一実施例の使用状態を示す断面図である。
【図５】本考案に係るティーメーカーの第二実施例の断面図である。
【図６】本考案に係るティーメーカーの第二実施例の使用状態を示す断面図である。
【考案を実施するための形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１乃至図３に示すように、本考案に係るティーメーカーにおける第一実施例は、本体１０と、濾過部材２０と、蓋部３０と、磁気部材４０とを有し、その内、該本体１０は、内部に形成される収容空間１１と、上部に形成されると共に、該収容空間１１の上端に形成される開口１２とを備えるものである。
【００２０】
前記第一実施例における濾過部材２０は、外周面が前記本体１０の内周面に近接するように、移動可能に前記本体１０の収容空間１１に設置され、上部に開口が形成されると共に、底面に少なくとも１つの貫通孔が形成されるケース２１と、該ケース２１の開口を塞ぐように、着脱可能に該ケース２１に設けられると共に、少なくとも１つの貫通孔を有するカバー２２と、該カバー２２に取り付けられる第一吸引部材２３とを備えるものである。
【００２１】
前記蓋部３０は、前記本体１０の開口１２を密閉するように、磁気手段によって着脱可能に該本体１０に設置され、上部に穿設される少なくとも１つの注ぎ口３１及び該注ぎ口３１を塞ぐためのキャップ３２からなる注ぎ部と、該キャップ３２の近傍にに凹設される長方形の摺動凹部３３とを備えるものである。
【００２２】
前記磁気部材４０は、前記濾過部材２０の第一吸引部材２３を引き寄せるために、移動可能に前記蓋部３０に設置されると共に、該蓋部３０における摺動凹部３３に設置されるレール部材４１と、該レール部材４１に摺動可能に設置される摺動台４２と、前記本体１０と蓋部３０の上面との間に位置するように、該摺動台４２に設置される第二吸引部材４３とを備え、更に、その磁気部材４０における摺動台４２は、摺動可能に該レール部材４１の上側に設置されるボタン４２０と、摺動可能に該レール部材４１の下側に設置される摺動座４２１と、該摺動座４２１とボタン４２０とを結合して連動させるためのピン４２２とを備えるものである。尚、前記第二吸引部材４３は、該摺動座４２１の底部に嵌入されることが好ましい。
【００２３】
前記磁気手段は、前記濾過部材２０及び磁気部材４０にそれぞれ互いに磁力を発生する第一吸引部材２３及び第二吸引部材４３を設置すると共に、前記濾過部材２０の第一吸引部材２３と磁気部材４０の第二吸引部材４３とを引き寄せることによって、濾過部材２０を蓋部３０に着脱可能に固定するものである。
【００２４】
本考案に係るティーメーカーにおける第一実施例を使用する時は、先ず蓋部３０を取り外すと共に、濾過部材２０を本体１０から取り出してから、更に濾過部材２０のカバー２２を取り外し、続いて茶葉をケース２１に入れてから、該カバー２２でケース２１に蓋をし、本体１０内に設置する。そして、お湯を本体１０に注ぎ、蓋部３０で本体１０に蓋をし、茶葉をお湯の中で充分に浸透させるために、適当な時間そのままの状態で待つ。
【００２５】
図４に示すように、所定の時間が経過したら、ティーメーカーを上下逆にし、濾過部材２０の重さによって濾過部材２０をが蓋部３０に接近させ、該濾過部材２０のカバー２２に設けられた第一吸引部材２３を蓋部３０に設けられた磁気部材４０の第二吸引部材４３に引き寄せて、該濾過部材２０を蓋部３０に固定させる。その後、ティーメーカーを元の正常な状態に戻せば、お茶を濾過部材２０の貫通孔を介して本体１０の下部に流し、茶葉とお茶とを分離させることができ、この状態で、蓋部３０のキャップ３２を開ければ、簡単にお茶を飲むことができる。
【００２６】
さらに、何度も茶葉を用いてお茶を入れる場合には、前記磁気部材４０のボタン４２０を摺動してレール部材４１に沿って摺動台４２を移動させ、該摺動台４２に設置された第二吸引部材４３をずらし、これにより、前記濾過部材２０の第一吸引部材２３と引き離すと、該濾過部材２０が本体１０の底部に落下し、その後、蓋部３０を取り外せば、再びお湯を入れてお茶を入れることができる。
【００２７】
図５に示すように、本考案に係るティーメーカーにおける第二実施例は、その殆どが前記第一実施例と同一であるが、濾過部材２０Ａにおいて異なる。その濾過部材２０Ａは、底面に少なくとも１つの貫通孔が形成されるプレート２１Ａと、該プレート２１Ａの中央に設置される第一吸引部材２３Ａとを備えるものである。
【００２８】
前記第二実施例を使用する時は、茶葉を濾過部材２０Ａのプレート２１Ａと蓋部３０Ａとの間における本体１０Ａに入れてお湯を注ぎ、所定時間待つ。そして、図６に示すように、所定時間が経過したら、ティーメーカーを上下逆にし、濾過部材２０Ａを蓋部３０Ａに接近させながら茶葉を押圧し、該濾過部材２０Ａに設けられる第一吸引部品２３Ａを磁気部材４０Ａの第二吸引部材４３Ａに接近させていき、該濾過部材２０Ａを蓋部３０Ａに固定させる。その後、ティーメーカーを元の正常な状態に戻し、茶葉を濾過部材２０Ａと蓋部３０Ａとの間に集め、お茶を濾過部材２０Ａの貫通孔を介して本体１０Ａの下部に流し、茶葉とお茶とを分離させることができ、この状態で、蓋部３０Ａのキャップ３２Ａを開ければ、簡単にお茶を飲むことができる。
【００２９】
前記第一吸引部材２３、２３Ａ及び第二吸引部材４３、４３Ａはそれぞれ、互いに引き寄せられる磁石又は磁性体（鉄など）である。例えば、その第一吸引部材２３、２３Ａは磁石であり、第二吸引部材４３、４３Ａは磁性体であってもよく、或いは、該第一吸引部材２３、２３Ａは磁性体であり、第二吸引部材４３、４３Ａは磁石であってもよく、或いは、該第一吸引部材２３、２３Ａ及び第二吸引部材４３、４３Ａは共に磁石であってもよい。
【産業上の利用可能性】
【００３０】
本考案は上記の構成を有し、茶葉が濾過部材に収容されることから、本体の中での拡散を防ぐと共に、濾過部材は、茶葉を充分にお湯に浸透させるための空間を有するので、短時間でお茶を入れることができるという利点があり、さらに、ティーメーカーを上下逆にしてから元の状態に戻せば、第一吸引部材と第二吸引部材とを引き寄せる磁性によって濾過部材が蓋部に固定され、茶葉とお茶とを簡単に分離させることができるので、茶葉の長時間の浸漬を防止でき、また、磁気部材のボタンを摺動して第二吸引部材をずらせば、濾過部材を本体の底部に流し、再びお湯を入れてお茶を作ることができるので、使用上、非常に便利である。
【符号の説明】
【００３１】
１０、１０Ａ        本体
１１                    収容空間
１２                    開口
２０、２０Ａ        濾過部材
２１                    ケース
２２                    カバー
２３、２３Ａ        第一吸引部材
３０、３０Ａ        蓋部
３１                    注ぎ口
３２、３２Ａ        キャップ
３３                    摺動凹部
４０、４０Ａ        磁気部材
４１                    レール部材
４２                    摺動台
４２０              ボタン
４２１              摺動座
４２２              ピン
４３、４３Ａ        第二吸引部材
２１Ａ              プレート
【図１】
0003165877.tif 000003
【図２】
0003165877.tif 000004
【図３】
0003165877.tif 000005
【図４】
0003165877.tif 000006
【図５】
0003165877.tif 000007
【図６】
0003165877.tif 000008